(57)【要約】【課題】      本考案は、水漏れがなく、組立てが簡単・迅速にできる、ウォータ・スプレーガンの水密構造を提供する。【解決手段】  スプレー本体の上側に配置された中空の注水室と、前記注水室内部に適切に固定された弁座と、細かい網状になる穴が配置された放水用キャップがしっかりと嵌められる調節可能なスプレー・ヘッドと、から成るスプレー・ガンを包含し、前記放水用キャップ及び調節可能なスプレー・ヘッドには、それぞれ確実に相互嵌合するよう、開口端部に対応する内側に斜めにてーぱーの付いた制限案内リブ及び水密案内ファセットが形成されて、これによりウォータ・スプレーガンの水漏れのない水密層達成し、従来の水漏れ問題を効果的に回避することができるようにした。【選択図】    図３
0003106823.tif 000002
【実用新案登録請求の範囲】
【請求項１】
ウォータ・スプレーガンの水密構造であって、前記構造が、
プッシュハンドルと連結接続する水密弁がその中に保持されるよう、スプレー本体の上側に配置された中空の注水室と、前記注水室内部に適切に固定された弁座と、放水用キャップがしっかりと嵌められた調節可能なスプレー・ヘッドと、から成るスプレー・ガンを包含し、水流の放水を様々なパターン制御することができるようにしたウォータ・スプレーガン用の密構造であって、
前記放水用キャップ及び調節可能なスプレー・ヘッドには、それぞれ、水漏れのない水密層を達成するために、確実に相互嵌合するよう、係合開口端部に対応する内側に制限案内リブ及び水密案内ファセットが形成されて、これによりウォータ・スプレーガンの水漏れを効果的に回避することができ、且つ、前記制限案内リブ及び前記水密案内ファセットが放水用キャップ及び調節可能なスプレー・ヘッドとの直接的な相互嵌合に対し一体に成形されるようにし、組立てが簡単迅速に行なえるようにしたことを特徴とするウォータ・スプレーガンの水密構造。
【請求項２】
前記放水用キャップの制限案内リブ及び前記調節可能なスプレー・ヘッドの水密案内ファセットが、それぞれに対応して環状で斜めにテーパの付いた形状に作られていることを特徴とする請求項１記載のウォータ・スプレーガンの水密構造。
【請求項３】
前記放水用キャップの制限案内リブとその固定部との間に、環状になって隣接する微小なリブが突出していて、前記調節可能なスプレー・ヘッドの開口端部に対して正確に隣接するようになるので、これにより更にもう１つ別の水密層構造を達成するようにしたことを特徴とする請求項１記載のウォータ・スプレーガンの水密構造。
【考案の詳細な説明】
【技術分野】
【０００１】
本考案は、ウォータ・スプレーガンに関し、更に具体的に言うと、水漏れのないウォータ・スプレーガンの水密構造に関するものである。
【背景技術】
【０００２】
図１は、従来のウォータ・スプレーガンの分解斜視図である。
図１からわかるように、従来のウォータ・スプレーガンは、スプレー本体１１と、その中に放水流通溝１３を備えた拡張スプレー・ヘッド１２と、該拡張ヘッド開口端部に配置された連結座１４とが組合せられ、該連結座１４へ、様々なパターンの放水オリフィス開口１５が形成された放水用キャップ１６を噛合わせて構成されている。そして、放水用キャップ１６と連結座１４の間には、密封用リング１７が挟み込まれ、ネジ１８によってその間をきつく締め付けることにより、ここの部分の水密構造の効果が達成されるようになっている。
【０００３】
しかしながら、このような従来のウォータ・スプレーガンにおいては、以下のような欠点がある。
第一に、密封用リング１７は弾性ゴム材料で作られていて、放水用キャップ１６と連結座１４の圧縮作用により常時変形されていて、水流に長時間浸かっているので、その弾性が疲弊し易く、表面にひび割れができるため、スプレー・ヘッド１２に対し精密に密封できなくなる上に、密閉リング１７は簡単に擦りきれてしまうため、水漏れを防ぐことができなくなる。このため、定期的に交換しなければならない。
第二に、密閉用リング１７は、別個に加工されウォータ・ガンに組み入れなければならないため、材料コスト並びに製造コストを不経済に高めることになる。
【考案の開示】
【考案が解決しようとする課題】
【０００４】
本考案は、従来技術の欠点を改善して、プッシュハンドルと連結接続する水密弁がその中に保持されるよう、スプレー本体の上側に配置された中空の注水室と、その一端部に放水用キャップがしっかりと嵌められた調節可能なスプレー・ヘッドの他端部と相互にぴたりと嵌合するために、前記注水室内部に適切に固定された弁座と、から構成されたスプレー・ガンを包含したウォータ・スプレーガンに対する水密構造を提供することを第一の目的とする。
【０００５】
また、製作時に、放水用キャップの制限案内リブと調節可能なスプレー・ヘッドの水密案内ファセットの両方とも一体に、放出キャップおよび調節可能なスプレー・ヘッドを直接相互に嵌合させて一体成型することにより、ウォータ・スプレーガンの組立てを迅速容易にさせ、本発明の製品を安価に製造することで、市場における競争力を高めるようにしたウォータ・スプレーガンの水密構造を提供するのを第二の目的とする。
【課題を解決するための手段】
【０００６】
本考案の請求項１に係るウォータ・スプレーガンの水密構造は、前記構造が、プッシュハンドルと連結接続する水密弁がその中に保持されるよう、スプレー本体の上側に配置された中空の注水室と、前記注水室内部に適切に固定された弁座と、放水用キャップがしっかりと嵌められた調節可能なスプレー・ヘッドと、から成るスプレー・ガンを包含し、水流の放水を様々なパターン制御することができるようにしたウォータ・スプレーガン用の密構造であって、前記放水用キャップ及び調節可能なスプレー・ヘッドには、それぞれ、水漏れのない水密層を達成するために、確実に相互嵌合するよう、係合開口端部に対応する内側に制限案内リブ及び水密案内ファセットが形成されて、これによりウォータ・スプレーガンの水漏れを効果的に回避することができ、且つ、前記制限案内リブ及び前記水密案内ファセットが放水用キャップ及び調節可能なスプレー・ヘッドとの直接的な相互嵌合に対し一体に成形されるようにし、組立てが簡単迅速に行なえるようにしたことを特徴とする。
【０００７】
請求項２の考案は、請求項１記載のウォータ・スプレーガンの水密構造において、前記放水用キャップの制限案内リブ及び前記調節可能なスプレー・ヘッドの水密案内ファセットが、それぞれに対応して環状で斜めにテーパの付いた形状に作られていることを特徴とする。
【０００８】
請求項３の考案は、請求項１記載のウォータ・スプレーガンの水密構造において、前記放水用キャップの制限案内リブとその固定部との間に、環状になって隣接する微小なリブが突出していて、前記調節可能なスプレー・ヘッドの開口端部に対して正確に隣接するようになるので、これにより更にもう１つ別の水密層構造を達成するようにしたことを特徴とする。
【考案の効果】
【０００９】
上記の目的を達成するため、本考案のウォータ・スプレーガンは、その放水用キャップと調節可能なスプレー・ヘッドには、確実に相互嵌合するために、それぞれその係合端部の内側に、斜めにテーパの付いた制限案内リブおよび水密案内ファセットが配置されているので、これにより水漏れのない水密層が達成されるものである。
【００１０】
更には、制限ガイドおよび放水用キャップの固定部の間に隣接する小さなリブが突出しているので、調節可能なスプレー・ヘッドの開口端部に対して正確に隣接されるようになり、これによりもう１つの水漏れのない水密層を生み出し、最高の水密構造を効果的に達成し、組立てが迅速に簡単にできる。
【考案を実施するための最良の形態】
【００１１】
以下、添付図面を参照して本考案の好適な実施の形態を詳細に説明する。
【実施例】
【００１２】
図２は、本考案の一実施例のウォータ・スプレーガンの水密構造の分解斜視図で、図３は、組立て完成した本考案のウォータ・スプレーガンの水密構造の断面図である。図４は図３の一部拡大断面図である。また、図５は、図３のウォータ・スプレーガンが霧状のスプレーを出している状態を示す概略図である。図６は図３のウォータ・スプレーガンが拡散スプレーを出している状態を示す概略図である。図７は図３のウォータ・スプレーガンが勢いあるジェット流を出している状態を示す概略図である。図８は図３のウォータ・スプレーガンが雨状スプレーを出している状態を示す概略図である。
【００１３】
図２及び図３から分かるように、本考案のウォータ・スプレーガンの水密構造  は、スプレー本体２１と、その上側で伸長する中空注水室２２とからなるスプレーガン２０を含む。中空注水室２２内部には、ばね２３１が巻装された水密用弁２３が配置され、その一端部でプッシュハンドル２４と連結係合状態にして保持される。中空注水室２２の内壁は、段になって突出したフランジ部２２１が環状に限定されており、これにより、超音波固定作用を介して弁座２５がフランジ部にしっかりと固定して取り付けられるようになっており、中空注水室２２が、弁座２５の注水流通溝部２５１を通過し、その中に形成された囲みスペースと水密用弁２３の他端部とに連通すると、注水流通溝部２５１にぴったりと水密係合状態に隣接するようになる。
【００１４】
弁座２５には、その中間部に水密リング２５２が配設されており、その一側には螺線形調整部が形成されていて、これが調節可能なスプレー・ヘッド２６の一端部に突出した組立用突出開口部２６１の内部ねじ部２６２に係合してゆくと、水密リング２５２が組立用の開口部２６１の内壁面に密接に隣接するようになり、これにより水密効果がもたらされる。
【００１５】
弁座２５の他端部には、係止用フランジ２５４を有する凹んだ移動空間２５５が配置されていて、調節操作をする場合に、組立用突出開口部２６１の内側中間部に環状に突出した位置決めフック２６３を制限するようになっている。
【００１６】
組立用突出開口部２６１の他端部には、複数個の保持リブ２６４が伸長しており、これにより、弁座２５の移動空間２５５を案内してその動きを制限するようになっている。移動空間の他側には、前記注水流通溝部２５１と連通した複数個の放水オリフィス２５６が環状に配置され、複数個の浸透用孔が分布されたマウスピース部２５８が、弁座２５の端部で、放水オリフィス２５６の一側に配置されている。
調節可能なスプレー・ヘッド２６の開口端部には、外側にねじ部２６５が形成されており、複数個の細かい網目状の孔が開いている放水用キャップ２７の固定部２７２にねじ係合される。
【００１７】
放水用キャップ２７の一側には、その中心から突出している管状係合部２７３が配置されていて、複数個の突出リブが係合部２７３の内壁に環状に配置されている。突出リブ２７４の一端に密封用フープ２７５の一側が配置され、その他側で調節可能スプレー・ヘッド２６の保持用リブ２６４に対し精密に隣接すると、放水オリフィス２５６が突出リブ２７４によって正確に制限されるようになる。
【００１８】
放水用キャップ２７の中心には円錐形伸長スロット２７６が形成され、係合部２７３に連通しており、その内側周囲には環状の係止片２７７が突出形成されているので、水密効果を達成するために、これにより円錐形伸長スロット２７６がマウスピース部２５８の外側周囲に正確に隣接するようになる。
【００１９】
装飾用カバー２８が調節可能スプレー・ヘッド２６および放水用キャップ２７の外側周囲に設置される。斜めにテーパのついた制限案内リブ２７８が放水用キャップ２７の内側に環状に突出して形成されていて、調節可能なスプレー・ヘッド２６と放水用キャップ２７とが相互に確実に係合されるように、調節可能なスプレー・ヘッド２６の開口端部に内側縁を限定している隣接案内ファセット２６６へ対応して組合せられると、これにより、ポタポタと水漏れのしない水密層がもたらされる。
【００２０】
更にまた、環状に隣接する小さなリブ２７９が、制限案内リブ２７８および固定部２７２の間に突出していて、調節可能なスプレー・ヘッド２６の開口端部に対して正確に隣接するようになり、これにより、図４に示すようなもう１つ別の水密層が達成され、上述した従来形のウォータ・スプレーガンの漏れ問題を回避するための最良の水密効果を効果的に達成することができる。
【００２１】
また、放水用キャップ２７の制限案内リブ２７８および隣接リブ２７９、並びに、調節可能なスプレー・ヘッド２６の隣接案内ファセット２６６は、加工の際に一体に製造するので，組立てが簡単に迅速にできるようになる。
【００２２】
次に、図５について説明する。図５は本考案のウォータ・スプレーガンが霧状スプレーを発生するような放出操作状態に調節された状態を示している。調節可能なスプレー・ヘッド２６の内側ねじ部２６２が弁座２５の調節部２５３と完全にねじ係合した時、放水オリフィス２５６および浸透孔２５７が両側にそれぞれ形成された係止片２７７と水密フープ２７５とによって正確に密封されて、その外側周囲にある突出リブ２７４によって制限されるので、これにより、周囲が囲まれた注水空間が形成される。そして、注水室２２から入り込んで注水流通溝２５１を通過して流れる水流が、放水オリフィス２５６から出て、浸透孔２５７の所に集まり、マウスピース２５８を通過して霧状スプレー状態に噴出される。
【００２３】
次に、図６について説明する。図６は、本考案のスプレーガンが拡散スプレー操作で拡散スプレーを出しているのを示している。放水用キャップ２７の係止片２７７をマウスピース２５８から外し、拡散用スロット２７６と連通するまで、弁座２５の調節可能な部分２５３に沿って、調節可能なスプレー・ヘッド２６の内側ネジ部２６２が一側へ回転されると、放水用オリフィス２５６を通過して流れ出た流水が係止片２７７の内側周囲を通過して、拡散スプレー・パターンになる拡散用スロット２７６に沿って外側に噴出する。一方、浸透孔２５７を通過する水もあって、この浸透孔２５７を通過した水も拡散スプレーでマウスピース２５８を通って外へ出て行く。
【００２４】
図７は一直線に強いジェット水流を発生するように調節されたジェット水流放出状態を示す。水密用フック２７５が放水用オリフィス２５６の縁部へ移動するまで、調節可能なスプレー・ヘッド２６の内側ネジ付き部２６３が弁座２５の調節部２５３に沿って一側へ回転し続けると、中央空間を全く残さないで放水オリフィス２５６を通過して出て来る水流は、係止片２７７およびマウスピース２５８によって限定された間隙を一直線のジェット水流で勢いよく外側へ通過してスプレーされるようになる。
【００２５】
図８について説明する。図８の状態は雨水状スプレーの放出状態を発生するように調節されている。水密用フック２７５が放水用オリフィス２５６の他側へ押されるまで、調節可能なスプレー・ヘッド２６の内側ネジ付き部２６２が弁座２５の調節部２５３の一側に沿って回転移動し続けると、放水用オリフィス２５６はマウスピース２５８の浸透孔と放水用キャップ２７の拡散用スロット２７６とから分けられて、組立用孔２６１の制限リブ２６４によって正確に保持されるようになる。従って、放水用オリフィス２５６を通過して出て来た水流が制限リブ２６４の中に直接外側に排出して、微細な網状孔２７１を介してそこから外側へ雨水状に放出するようになる。調節可能なスプレー・ヘッド２６がその一側へ回転し続けると、位置決めフック２６３が移動空間２５５の一側に突出している係止用フランジ２５４によって隣接位置に制限されるようになり、これによって、内側ネジ部２６２が調節部２５３から極度に抜け過ぎてしまった場合に、調節可能なスプレー・ヘッド２６が弁座２５から位置ずれするのを防止できる。
【００２６】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００２７】
【図１】従来のウォータ・スプレーガンの分解斜視図である。
【図２】本考案の一実施例のウォータ・スプレーガンの水密構造の分解斜視図
【図３】組立て完成した本発明のウォータ・スプレーガンの水密構造の断面図である。
【図４】図３の一部拡大断面図である。
【図５】図３のウォータ・スプレーガンが霧状のスプレーを出している状態を示す概略図である。
【図６】図３のウォータ・スプレーガンが拡散スプレー状態に放出している状態を示す概略図である。
【図７】図３のウォータ・スプレーガンが勢いあるジェット流を放出している状態を示す概略図である。
【図８】図３のウォータ・スプレーガンが雨水状スプレーを放出している状態を示す概略図である。
【符号の説明】
【００２８】
２０    スプレーガン
２１    スプレー本体
２２    中空の注水室
２２１  フランジ部
２３    水密用弁
２４    プッシュハンドル
２５    弁座２
２５１  注水流水溝部
２５２  水密リング
２５４  係止用フランジ
２５５  移動空間
２６    調節可能なスプレー・ヘッド
２６１  組立用の開口部
２６２  内部ねじ部
２６３  位置決めフック
２６４  保持リブ
２６６  放水オリフィス
２５８  マウスピース
２７    放水用キャップ
２７２  固定部
２７３  管状係合部
２７４  突出リブ
２７５  密封用フープ
２７６  円錐形伸長スロット
２７７  環状の係止片
２８    装飾用カバー
【図１】
0003106823.tif 000003
【図２】
0003106823.tif 000004
【図３】
0003106823.tif 000005
【図４】
0003106823.tif 000006
【図５】
0003106823.tif 000007
【図６】
0003106823.tif 000008
【図７】
0003106823.tif 000009
【図８】
0003106823.tif 000010